(57)【要約】  フェムトセルおよび公衆網を利用可能な無線通信端末１００は、公衆網が待受状態であり、フェムトセルが非待受状態のときに、発信要求検出部１５０ｆが通信の発信要求を検出すると、待受状態の公衆網により当該発信処理を行う前にフェムトセルのシステムスキャンをシステムスキャン部１５０ｇが行い、該システムスキャンによりフェムトセルを検出すると、待受状態の公衆網により当該発信処理を行わずに、フェムトセルにより当該発信処理を行うように制御するシステム制御部１５０を備える。
2009096410.tif 000002
【特許請求の範囲】
【請求項１】
フェムトセルとの通信に対応する第１無線通信システムと、公衆網との通信に対応する第２無線通信システムとを利用することが可能な無線通信端末の制御方法において、
前記第２無線通信システムが待受状態であり、かつ、前記第１無線通信システムが非待受状態であって、
通信の発信要求を検出すると、前記待受状態の第２無線通信システムにより当該発信処理を行う前に、前記第１無線通信システムのシステムスキャンを行い、
前記第１無線通信システムのシステムスキャンにより第１無線通信システムを検出すると、前記待受状態の第２無線通信システムにより当該発信処理を行わずに、前記第１無線通信システムにより当該発信処理を行うことを特徴とする無線通信端末の制御方法。
【請求項２】
前記第１無線通信システムのシステムスキャンにより第１無線通信システムを検出することができない場合、前記待受状態の第２無線通信システムにより当該発信処理を行うことを特徴とする請求項１に記載の無線通信端末の制御方法。
【請求項３】
フェムトセルとの通信に対応する第１無線通信システムと、公衆網との通信に対応する第２無線通信システムとを利用することが可能な無線通信端末において、
通信の発信要求を検出する検出部と、
前記第１無線通信システムのシステムスキャンを行うシステムスキャン部と、
前記第２無線通信システムが待受状態であり、かつ、前記第１無線通信システムが非待受状態であるときに、前記検出部が前記発信要求を検出すると、前記待受状態の第２無線通信システムにより当該発信処理を行う前に、前記第１無線通信システムのシステムスキャンを行い、該システムスキャンにより第１無線通信システムを検出すると、前記待受状態の第２無線通信システムにより当該発信処理を行わずに、前記第１無線通信システムにより当該発信処理を行うように制御する制御部と、を備えることを特徴とする無線通信端末。
【請求項４】
前記制御部は、前記システムスキャンにより第１無線通信システムを検出することができない場合、前記待受状態の第２無線通信システムにより当該発信処理を行うように制御することを特徴とする請求項３に記載の無線通信端末。
【発明の詳細な説明】
【関連出願へのクロスリファレンス】
【０００１】
本願は、日本国特許出願第2008-18275号（2008年1月29日出願）の優先権の利益を主張し、これらの全内容を参照により本願明細書に取り込むものとする。
【技術分野】
【０００２】
本発明は、フェムトセルとの通信に対応する第１無線通信システムと、公衆網との通信に対応する第２無線通信システムとを利用することが可能な無線通信端末の制御方法、および、フェムトセルとの通信に対応する第１無線通信システムと、公衆網との通信に対応する第２無線通信システムとを利用することが可能な無線通信端末に関するものである。
【背景技術】
【０００３】
ＣＤＭＡ(Code Division Multiple Access）方式を用いた移動体通信システムでは、ＩＰ−ＶＴ（Video Telephone ）電話等のアプリケーションにおいて送受信される動画像データを含むデータ伝送の方式として、一般的に、複数の方式が採用および導入されている。
例えば、ＣＤＭＡ２０００では、データ伝送の方式として、回線交換を用いる通信方式（ＣＤＭＡ２０００  １ｘ）、パケット交換方式を用いて、上り方向：１５３．６ｋｂｐｓ、下り方向：約２．４Ｍｂｐｓのデータレート（伝送速度）を実現する通信方式（ＣＤＭＡ２０００  １ｘ  ＥＶ−ＤＯ  Ｒｅｖ．０）および、前記Ｒｅｖ．０の通信方式をさらに高速化して、上り方向：約１．８Ｍｂｐｓ、下り方向：約３．１Ｍｂｐｓのデータレート（伝送速度）を実現する通信方式（ＣＤＭＡ２０００  １ｘ  ＥＶ−ＤＯ  Ｒｅｖ．Ａ）が規定されている（例えば非特許文献１および非特許文献２参照）。
また、ＣＤＭＡ２０００  １ｘ  ＥＶ−ＤＯ  Ｒｅｖ．Ａのもう１つの特徴として、ＱｏＳ（Quality of Service）を制御する機能が追加されたことが挙げられる。
フェムトセル（femtocell ）は、公衆網で使用されているマクロセルやマイクロセルやピコセルやナノセルよりもカバーエリアの狭いシステム（例えば半径数十ｍ程度のカバーエリアを有するシステム）であり、自宅に設置して使用される可能性の高いシステムである。フェムトセルは、公衆網と混在して設置されることから、通常の公衆網とは異なるシステムとして使用されるものである。【０００４】
第１無線通信システムは、フェムトセルとの通信を行うためのシステムであり、第２無線通信システムは、公衆網との通信を行うためのシステムである。フェムトセルとの通信は、接続するユーザ数が公衆網に比べ限定されるため、高速な通信が可能となる。第１無線通信システムに対応する無線通信端末は、どちらのシステムでも利用（待受、通信等）することが可能である。また、第２無線通信システムに対応する無線通信端末も、どちらのシステムでも利用（待受、通信等）することが可能である。
両無線通信システムは、互換性のあるシステムであるため、第１無線通信システムに対応する無線通信端末は、基本的には第１無線通信システムを優先して待受システムとしてサーチする。しかし、第１無線通信システムが検出できない場合には、第２無線通信システムで待ち受けする（ただし、第２無線通信システムが検出できた場合に限る）。したがって、第１無線通信システムに対応する無線通信端末は、第１無線通信システム、第２無線通信システムの何れか一方の無線通信システムのみを待ち受けすることになり、両方の無線通信システムを待ち受けすることはない（二者択一である）。【０００５】
第１無線通信システム、第２無線通信システムに対応する現状の無線通信端末は、以下のようにして、発信時の接続先を決定するように構成されている。
（１）発信時の接続先は、待ち受けしている基地局である。
（２）一定時間毎にＰＲＬ（Prefferred Roaming List ）に登録されている現在待ち受けしているシステムよりも優先順位の高いシステムをスキャンして、スキャンが成功した場合に基地局を変更するリセレクション（Reselection ）を行う（図３参照）。
（３）発信時には、待ち受けしている基地局へ発信を行い、より速度の速い通信が可能な基地局のスキャンは、下記（ａ）〜（ｄ）に該当する状況でのみ、実施している。
（ａ）通信の切断後の一定時間経過後に実施する。
（ｂ）待ち受け状態を継続しているときに定期的に実施する。
（ｃ）ＰＲＬに同一システムが複数登録されている場合、速度の速い順にＰＲＬに記載されている（図４（ａ）参照）。
（ｄ）ＰＲＬに異なるシステムが複数登録されている場合、並び順に制限はないが、同一システム内の記載には、上記（ｃ）と同様に速度の速い順の登録が行われている（図４（ｂ）参照）。
（ｅ）フェムトセルのシステムはＰＲＬの最上位に記載されている。【０００６】
図５は現状の移動体通信システムにおいて無線通信端末が基地局との間で実施するパケット発信処理を示すフローチャートである。この図５のパケット発信処理は、パケット発信動作時に起動するものであり、まず、ステップＳ５１では、待ち受け状況をチェックし、圏外であればステップＳ５２に進み、圏内であればステップＳ５４〜ステップＳ５６の何れかに進む。ステップＳ５２では圏外スキャンを行い、この圏外スキャンが成功してステップＳ５３がＹＥＳになった場合は、ステップＳ５１に戻って再度待ち受け状況をチェックし、この圏外スキャンが失敗してステップＳ５３がＮＯになった場合は、そのまま終了する。
ステップＳ５１で圏内であることが検出された場合、ＣＤＭＡ２０００  １ｘ（以下、１ｘという）およびＣＤＭＡ２０００  １ｘ  ＥＶ−ＤＯ（以下、ＥＶ−ＤＯという）の両方が圏内の場合には、ステップＳ５４に進んで上位システムであるＥＶ−ＤＯのパケット発信を行い、１ｘのみ圏内の場合には、ステップＳ５５に進んで１ｘのパケット発信を行い、ＥＶ−ＤＯのみ圏内の場合には、ステップＳ５６に進んでＥＶ−ＤＯのパケット発信を行う。
ステップＳ５４〜ステップＳ５６から進むステップＳ５７では、パケット発信が成功したか否かをチェックし、パケット発信が成功した場合はそのまま終了し、パケット発信が失敗した場合は、ステップＳ５２に進んで圏外スキャンを行う。この圏外スキャンが成功してステップＳ５３がＹＥＳになった場合は、ステップＳ５１に戻って再度待ち受け状況をチェックし、この圏外スキャンが失敗してステップＳ５３がＮＯになった場合は、そのまま終了する。【０００７】
【非特許文献１】"cdma2000 High Rate Packet Data Air Interface 3GPP2 C.S0024Version 4.0"、３ＧＰＰ２、２００２年１０月（Section 8.5.6.1、Section 9.3.1.3.2.3.2）
【非特許文献２】"cdma2000 High Rate Packet Data Air Interface 3GPP2 C.S0024-A Version 2.0"、３ＧＰＰ２、２００５年７月（Section 13.2.1.3.1.1、Section 13.3.1.3.1.1）
【発明の開示】
【発明が解決しようとする課題】
【０００８】
第１無線通信システム、第２無線通信システムの両方に対応する現状の無線通信端末は、待ち受けしている基地局に発信を行うように構成されており、公衆網で待ち受けしている場合には、フェムトセルのスキャンを行わない。第１無線通信システム、第２無線通信システムの両方に対応する現状の無線通信端末は、公衆網で待ち受けしている場合は、そのまま公衆網で発信を行うことになり、一旦接続するシステムが選択されると、リセレクション（再サーチ）は特定のタイミング（ハンドオフ時、通信終了直後、通信終了から所定時間経過後等）のみに実施され、頻繁に実施されることはない。したがって、第１無線通信システム、第２無線通信システムの両方に対応する現状の無線通信端末は、無線通信端末の能力を最大限発揮できない可能性がある。
フェムトセルに対応する基地局のスキャンを行わない理由としては、「接続に即時性を求めるため、接続までに掛かる時間を短縮する必要がある」、「切断後および待ち受け時の定期的なリセレクション動作のみで、ＰＲＬ上位の基地局で待ち受けが可能であると考えられている」等がある。【０００９】
本発明は、接続前にリセレクションを行うことにより、高速な通信を可能にする基地局へ接続変更し得る無線通信端末の制御方法を提供することを第１の目的とする。
本発明は、接続前にリセレクションを行うことにより、高速な通信を可能にする基地局へ接続変更し得る無線通信端末を提供することを第２の目的とする。
【課題を解決するための手段】
【００１０】
上記第１の目的を達成するため、本発明に係る無線通信端末の制御方法は、フェムトセルとの通信に対応する第１無線通信システムと、公衆網との通信に対応する第２無線通信システムとを利用することが可能な無線通信端末の制御方法において、前記第２無線通信システムが待受状態であり、かつ、前記第１無線通信システムが非待受状態であって、通信の発信要求を検出すると、前記待受状態の第２無線通信システムにより当該発信処理を行う前に、前記第１無線通信システムのシステムスキャンを行い、前記第１無線通信システムのシステムスキャンにより第１無線通信システムを検出すると、前記待受状態の第２無線通信システムにより当該発信処理を行わずに、前記第１無線通信システムにより当該発信処理を行うことを特徴とする。【００１１】
前記本発明に係る無線通信端末の制御方法の一実施態様は、前記第１無線通信システムのシステムスキャンにより第１無線通信システムを検出することができない場合、前記待受状態の第２無線通信システムにより当該発信処理を行うことを特徴とする。【００１２】
上記第２の目的を達成するため、本発明に係る無線通信端末は、フェムトセルとの通信に対応する第１無線通信システムと、公衆網との通信に対応する第２無線通信システムとを利用することが可能な無線通信端末において、通信の発信要求を検出する検出部と、前記第１無線通信システムのシステムスキャンを行うシステムスキャン部と、前記第２無線通信システムが待受状態であり、かつ、前記第１無線通信システムが非待受状態であるときに、前記検出部が前記発信要求を検出すると、前記待受状態の第２無線通信システムにより当該発信処理を行う前に、前記第１無線通信システムのシステムスキャンを行い、該システムスキャンにより第１無線通信システムを検出すると、前記待受状態の第２無線通信システムにより当該発信処理を行わずに、前記第１無線通信システムにより当該発信処理を行うように制御する制御部と、を備えることを特徴とする。【００１３】
前記本発明に係る無線通信端末の一実施態様は、前記制御部は、前記システムスキャンにより第１無線通信システムを検出することができない場合、前記待受状態の第２無線通信システムにより当該発信処理を行うように制御することを特徴とする。
【発明の効果】
【００１４】
本発明によれば、接続前にリセレクションを行うので、高速な通信を可能にするシステムの基地局へ接続変更し得る無線通信端末の制御方法および無線通信端末を提供することができる。
【図面の簡単な説明】
【００１５】
【図１】本発明の第１実施形態の制御方法を適用可能な移動体通信システムに用いる無線通信端末の構成を例示するブロック図である。
【図２】第１実施形態の移動体通信システムにおいて無線通信端末が基地局との間で実施するパケット発信処理を示すフローチャートである。
【図３】第１無線通信システム、第２無線通信システムに対応する現状の無線通信端末において実施するリセレクションを説明するための図である。
【図４】（ａ），（ｂ）は第１無線通信システム、第２無線通信システムに対応する現状の無線通信鬆ステムで用いるＰＲＬ（Prefferred Roaming List ）を例示する図である。
【図５】現状の移動体通信システムにおいて無線通信端末が基地局との間で実施するパケット発信処理を示すフローチャートである。
【発明を実施するための最良の形態】
【００１６】
以下、本発明を実施するための最良の形態を図面に基づき詳細に説明する。図１は本発明の第１実施形態の制御方法を適用可能な移動体通信システムに用いる無線通信端末の構成を例示するブロック図である。本実施形態の無線通信端末１００は、共通アンテナ１１０を用いて、ＣＤＭＡ２０００  １ｘシステム（以下、１ｘシステムという）と、ＣＤＭＡ２０００  １ｘ  ＥＶ−ＤＯシステム（以下、ＥＶ−ＤＯシステムという）とを切り換えてそれぞれの通信方式の基地局とデータ通信を行い得るように構成されており、ＥＶ−ＤＯシステムに関しては、ＥＶ−ＤＯ  Ｒｅｖ．０に加えて、ＥＶ−ＤＯ  Ｒｅｖ．Ａにも対応している。以下においては、フェムトセル（の基地局）との通信に対応するシステムを第１無線通信システムとし、公衆網（の基地局）との通信に対応するシステムを第２無線通信システムとする。【００１７】
フェムトセルとの通信に対応する第１無線通信システムは、公衆網との通信に対応する第２無線通信システムの拡張システムであり互換性があるため、第１無線通信システムに対応する無線通信端末は、どちらのシステムでも利用（待受、通信等）することが可能である。また、第２無線通信システムに対応する無線通信端末も、どちらのシステムでも利用（待受、通信等）することが可能である。
両無線通信システムは、互換性のあるシステムであるため、第１無線通信システムに対応する無線通信端末は、基本的には第１無線通信システムを優先して待受システムとしてサーチする。しかし、第１無線通信システムが検出できない場合には、第２無線通信システムで待ち受けする（ただし、第２無線通信システムが検出できた場合に限る）。したがって、第１無線通信システムに対応する無線通信端末は、第１無線通信システム、第２無線通信システムの何れか一方の無線通信システムのみを待ち受けすることになり、両方の無線通信システムを待ち受けすることはない（二者択一である）。【００１８】
本実施形態の無線通信端末１００は、図１に示すように、共通アンテナ１１０と、１ｘ  ＲＦ部１２０、ＥＶ−ＤＯ  ＲＦ部１３０、ＲＦ制御部１４０、システム制御部１５０、入力部１６０、表示部１７０およびシステム記憶部１８０等を有している。上記ＲＦ制御部１４０は、受信部１４０ａおよび送信部１４０ｂを有している。上記システム制御部１５０は、ＥＶ−ＤＯ受信制御部１５０ａ、ＥＶ−ＤＯ送信制御部１５０ｂ、１ｘ受信制御部１５０ｃ、１ｘ送信制御部１５０ｄ、共通アンテナ制御部１５０ｅ、発信要求検出部１５０ｆ、システムスキャン部１５０ｇを有している。【００１９】
上記１ｘ  ＲＦ部１２０は、１ｘシステムで送信するデータや音声信号を高周波信号に変換して共通アンテナ１１０から送信したり、共通アンテナ１１０から入力されたデータや音声信号を高周波信号に変換したりするものである。
上記ＥＶ−ＤＯ  ＲＦ部１３０は、ＥＶ−ＤＯシステムで送信するデータを高周波信号に変換して共通アンテナ１１０から送信したり、共通アンテナ１１０から入力されたデータを高周波信号に変換したりするものである。【００２０】
上記ＲＦ制御部１４０は、１ｘシステムおよびＥＶ−ＤＯシステムの通信を制御したり、共通アンテナで受信した基地局（図示せず）からの受信信号強度（ＲＳＳＩ）を測定したりするものであり、１ｘ用ＲＦ部１２０や、ＥＶ−ＤＯ用ＲＦ部１３０との間で入出力する高周波信号に基づいて受信部１４０ａおよび送信部１４０ｂとして機能する。なお、受信部１４０ａは、ＥＶ−ＤＯ受信制御部１５０ａによるＥＶ−ＤＯプロトコル制御、１ｘ受信制御部１５０ｃによる１ｘプロトコル制御ならびに共通アンテナ制御部１５０ｅによる共通アンテナ制御に基づいて、ＥＶ−ＤＯ受信部および１ｘ受信部として機能し、送信部１４０ｂは、ＥＶ−ＤＯ送信制御部１５０ｂによるＥＶ−ＤＯプロトコル制御、１ｘ送信制御部１５０ｄによる１ｘプロトコル制御ならびに共通アンテナ制御部１５０ｅによる共通アンテナ制御に基づいて、ＥＶ−ＤＯ送信部および１ｘ送信部として機能する。【００２１】
上記システム制御部１５０は、無線通信端末１００の各部を統括して制御する制御部であり、ＱｏＳの設定要求を基地局に送信する機能や、後述するシステムスキャンおよびリセレクションを行う機能を有している。
上記ＥＶ−ＤＯ受信制御部１５０ａは、ＥＶ−ＤＯプロトコル制御を行うことにより、共通アンテナ制御部１５０ｅによる共通アンテナ制御と連携して、ＥＶ−ＤＯシステムの受信を制御するものである。
上記ＥＶ−ＤＯ送信制御部１５０ｂは、ＥＶ−ＤＯプロトコル制御を行うことにより、共通アンテナ制御部１５０ｅによる共通アンテナ制御と連携して、ＥＶ−ＤＯシステムの送信を制御するものである。
上記１ｘ受信制御部１５０ｃは、１ｘプロトコル制御を行うことにより、共通アンテナ制御部１５０ｅによる共通アンテナ制御と連携して、１ｘシステムの受信を制御するものである。
上記１ｘ送信制御部１５０ｄは、１ｘプロトコル制御を行うことにより、共通アンテナ制御部１５０ｅによる共通アンテナ制御と連携して、１ｘシステムの送信を制御するものである。
上記共通アンテナ制御部１５０ｅは、共通アンテナ１１０を送信／受信のどちらか一方に切り換える共通アンテナ制御を行うものである。この共通アンテナ制御により、無線通信端末１００は、ＥＶ−ＤＯシステムの送信および１ｘシステムの送信を１つの共通アンテナ１１０で行う送信機として機能するとともに、ＥＶ−ＤＯシステムの受信および１ｘシステムの受信を共通アンテナ１１０で行う受信機として機能することになる。
上記発信要求検出部１５０ｆは、ＥＶ−ＤＯの発信要求（ＥＶ−ＤＯ  Ｒｅｖ．Ａの発信要求またはＥＶ−ＤＯ  Ｒｅｖ．０の発信要求）を検出するものである。
上記システムスキャン部１５０ｇは、第１無線通信システム（フェムトセルとの通信に対応するシステム）のシステムスキャンを行うものである。【００２２】
上記入力部１６０は、情報を入力したり、表示部１７０の表示画面に表示された選択肢の何れかを選択する際に使用するものであり、各種キーおよび各種ボタンを有している。なお、入力部１６０、表示部１７０は、必要に応じて省略することもできる。【００２３】
上記システム記憶部１８０は、ＲＡＭ等のメモリによって構成され、アプリケーションプログラムや一時的なデータを保存するものである。【００２４】
次に、本実施形態の移動体通信システムにおいて無線通信端末が基地局との間で実施するパケット発信処理を図２のフローチャートに基づいて説明する。なお、図２のパケット発信処理は、ＩＰＶＴ（Internet Protocol Video Telephony ：パケット交換網を使用するテレビ電話）の発信動作時に起動するものとするが、他の発信動作時に起動するようにしてもよい。【００２５】
まず、図２のステップＳ１１では、ＥＶ−ＤＯの待ち受け状況をチェックし、ＥＶ−ＤＯ圏外であればステップＳ１２に進み、ＥＶ−ＤＯ圏内であればステップＳ１４に進む。ステップＳ１２では圏外スキャンを行い、この圏外スキャンが成功してフェムトセル、公衆網（基地局）の何れかが検出されてステップＳ１３がＹＥＳになった場合はステップＳ１１に戻り、圏外スキャンが失敗してステップＳ１３がＮＯになった場合は、そのまま終了する。【００２６】
ＥＶ−ＤＯ圏内である場合に進むステップＳ１４では、フェムトセルの圏内であるか否かを判定する。この判定がＮＯ（公衆網の圏内）であればステップＳ１５に進み、ＹＥＳ（フェムトセルの圏内）であればステップＳ１７に進む。ステップＳ１５では、リセレクション（フェムトセルのスキャン）を行う。次のステップＳ１６では、フェムトセルの有無をチェックし、フェムトセルが検出された場合にはステップＳ１７に進んでフェムトセルへの発信を行い、公衆網が検出された場合にはステップＳ１８に進んで公衆網への発信を行う。【００２７】
ステップＳ１７およびステップＳ１８の次のステップＳ１９では、発信が成功したか否かをチェックし、発信が成功した場合にはそのまま終了し、発信が失敗した場合にはステップＳ１２に進む。ステップＳ１２では圏外スキャンを行い、この圏外スキャンが成功してフェムトセル（第１無線通信システム）、公衆網（第２無線通信システム）の何れかが検出されてステップＳ１３がＹＥＳになった場合はステップＳ１１に戻り、圏外スキャンが失敗してステップＳ１３がＮＯになった場合は、そのまま終了する。【００２８】
上記パケット発信処理においては、公衆網での接続が行われた場合にはフェムトセルとの通信が可能であった可能性があるが、公衆網へ接続され、通信量が発生し、ユーザに不便な点が生じる。接続に対する即時性が若干低くなることよりもフェムトセルとの通信が行われないことの方がユーザにとって不利益になる。本発明においては、発信時にリセレクション動作（フェムトセルのシステムスキャン）を行い、現在待ち受けしているシステムが公衆網のシステムであってもフェムトセルの基地局をスキャンすることにより、フェムトセルでの通信（発信）が行われる可能性を高めている。【００２９】
本実施形態によれば、図２のステップＳ１１のＥＶ−ＤＯ圏内−ステップＳ１４のＮＯ−ステップＳ１５−ステップＳ１６のＹＥＳ−ステップＳ１７を実行することにより、フェムトセルとの通信に対応する第１無線通信システムと、公衆網との通信に対応する第２無線通信システムとを利用することが可能な無線通信端末において、公衆網とは待受状態であり、かつ、フェムトセルとは非待受状態であって、通信の発信要求を検出すると、前記待受状態の公衆網への当該発信処理を行う前に、フェムトセルのシステムスキャンを行い、このフェムトセルのシステムスキャンによりフェムトセルを検出すると、前記待受状態の公衆網への当該発信処理を行わずに、フェムトセルへの当該発信処理を行うようにしたため、フェムトセルでの高速な通信を実現できる可能性が高くなり、ユーザの利便性が向上する。したがって、高速な通信を可能にするシステムの基地局へ接続変更し得る無線通信端末の制御方法および無線通信端末を提供することができる。【００３０】
また、本実施形態によれば、図２のステップＳ１１のＥＶ−ＤＯ圏内−ステップＳ１４のＮＯ−ステップＳ１５−ステップＳ１６のＮＯ−ステップＳ１８を実行することにより、第１無線通信システム（フェムトセル）を検出することができない場合でも、待受状態の第２無線通信システム（公衆網）により当該発信処理を行うので、少なくとも第２無線通信システム（公衆網）での通信を実現できる。
なお、フェムトセルが１ｘシステムにも対応するものであれば、発信要求検出部１５０ｆは１ｘの発信要求を検出し、以降ＥＶ−ＤＯシステムと同様に、フェムトセルをスキャンして、フェムトセルへ発信することを優先することができる。【００３１】
なお、上述の実施形態では、フェムトセルとの通信に対応する無線通信システムとして、または公衆網との通話に対応する無線通信システムとして、ＣＤＭＡ２０００  １ｘシステム及びＣＤＭＡ２０００  １ｘ  ＥＶ−ＤＯシステムを想定して説明したが、本発明の適用範囲はかかる無線通信システムのみに限られるものではなく、例えば、ＷｉＦｉ（ＩＥＥＥ８０２．１１）、ＷｉＭＡＸ（ＩＥＥＥ８０２．１６）、ｉＢｕｒｓｔ（登録商標）、ＬＴＥ（Ｌｏｎｇ Ｔｅｒｍ Ｅｖｏｌｕｔｉｏｎ）、ＵＭＢ（Ｕｌｔｒａ Ｍｏｂｉｌｅ Ｂｒｏａｄｂａｎｄ）など、現在実用されている無線通信システム及び将来的な実用が見込まれる無線通信システムなど、あらゆる無線通信システムに対応することが可能であることに留意されたい。
【図１】
2009096410.tif 000003
【図２】
2009096410.tif 000004
【図３】
2009096410.tif 000005
【図４】
2009096410.tif 000006
【図５】
2009096410.tif 000007
【国際調査報告】
2009096410.tif 000008
2009096410.tif 000009